(57)【要約】【課題】タッチ方式により旋回ルートに基づいた外部電源のオン・オフ又は給電の大小の段階的な調整が可能なタッチ式つまみスイッチを提供すること。【解決手段】本発明のタッチ式つまみスイッチは、ハウジング上部にセンサ面が設けられ、ハウジング内にタッチ制御回路基板が設置され、前記タッチ制御回路基板上面のタッチ制御回路層が複数のセンサエリアに区分され、複数の第１発光素子が前記タッチ制御回路層のセンサエリア内に環状に配置して設置され、使用者が前記センサ面に沿ってタッチすることで前記センサエリアのタッチ制御回路層を順にトリガーし、トリガーされたセンサエリアのタッチ制御回路層が、トリガーされたセンサエリアに対応する第１発光素子の発光を制御し、かつトリガーされたセンサエリアに基づいて外部電源の給電を制御するためのエンコード信号を出力し、使用上の利便性及び耐久性、使用寿命を向上する。【選択図】図１
2014053092.tif 000002
【特許請求の範囲】
【請求項１】
タッチ式つまみスイッチであって、ハウジングと、タッチ制御回路基板と、複数の第１発光素子を含み、
前記ハウジングの内部に収容槽が形成され、かつ上部に人が手でタッチするためのセンサ面が形成され、
前記タッチ制御回路基板が前記収容槽上部に設置され、かつ該タッチ制御回路基板の上面に前記センサ面に近接したタッチ制御回路層が設けられ、前記タッチ制御回路層の上面が複数の環状に配列されたセンサエリアに区分され、
前記複数の第１発光素子が、前記タッチ制御回路層上面のセンサエリア内に環状に設置され、前記センサ面に沿って間隔をあけて配列され、
使用者が前記センサ面に沿ってタッチすることにより前記センサエリアのタッチ制御回路層を順にトリガーし、トリガーを受けたセンサエリアのタッチ制御回路層が、トリガーを受けたセンサエリアに対応する第１発光素子の発光を制御し、かつトリガーを受けたセンサエリアに基づいて外部電源の給電を制御するためのエンコード信号を出力することを特徴とする、タッチ式つまみスイッチ。
【請求項２】
前記ハウジングが上蓋と下蓋を含み、前記上蓋の上部にウィンドウが設けられ、かつ前記ウィンドウ内に透光部材が設置され、前記センサ面が前記透光部材の上面であり、前記タッチ制御回路基板が前記透光部材と下蓋の間に設置されることを特徴とする、請求項１に記載のタッチ式つまみスイッチ。
【請求項３】
前記使用者が前記センサ面に沿って円弧状にタッチしていくと、タッチされた前記センサ面に対応する前記第１発光素子の発光が徐々にオンまたはオフになり、かつ前記タッチ制御回路層に前記エンコード信号を出力させることを特徴とする、請求項１に記載のタッチ式つまみスイッチ。
【請求項４】
前記使用者が前記センサエリアをタッチした後に前記センサエリアのタッチを停止したとき、タッチされたセンサエリアに対応する第１発光素子が発光を持続し、前記発光を持続している第１発光素子に対応するセンサエリアが再度タッチされると発光が停止することを特徴とする、請求項３に記載のタッチ式つまみスイッチ。
【請求項５】
前記使用者が前記センサエリアをタッチした後に前記センサエリアのタッチを停止したとき、タッチされたセンサエリアに対応する第１発光素子が発光を停止することを特徴とする、請求項３に記載のタッチ式つまみスイッチ。
【請求項６】
前記エンコード信号が、前記外部電源の給電をオンにする、及び（または）段階的に大きく調整する、または前記エンコード信号が、前記外部電源の給電を段階的に小さく調整する、及び（または）オフにすることを特徴とする、請求項１に記載のタッチ式つまみスイッチ。
【請求項７】
前記エンコード信号がパルス幅変調形式であることを特徴とする、請求項１に記載のタッチ式つまみスイッチ。
【請求項８】
さらに前記センサエリアの間のタッチ制御回路層の中央上面に設置された少なくとも１つの第２発光素子を含み、前記タッチ制御回路層の中央上面に前記センサ面中央に対応する押圧エリアが形成され、使用者が前記センサ面中央にタッチして前記押圧エリアのタッチ制御回路層をトリガーすると、前記押圧エリアのタッチ制御回路層が前記第２発光素子を制御して発光させ、かつ外部電源の給電を制御するための制御信号を出力することを特徴とする、請求項１に記載のタッチ式つまみスイッチ。
【請求項９】
前記使用者が前記センサ面中央をタッチすると、前記第２発光素子の発光色が変化することを特徴とする、請求項８に記載のタッチ式つまみスイッチ。
【請求項１０】
前記収容槽の底部に複数の支持部材が設けられ、前記タッチ制御回路基板が前記支持部材の上部に設置され、かつ前記支持部材の間に前記制御信号を受けて駆動する振動モーターが設置されたことを特徴とする、請求項８に記載のタッチ式つまみスイッチ。
【発明の詳細な説明】
【技術分野】
【０００１】
本発明はタッチ式つまみスイッチに関し、特に、タッチ方式により旋回ルートに基づいた外部電源のオン・オフ又は給電の大小の段階的な調整が可能なスイッチに関する。
【背景技術】
【０００２】
３Ｃ電子製品、通信装置、または家電の電器にはよくつまみスイッチが設置されており、つまみスイッチは一般に電気回路の給電切り替え及び電器の動作時の速度や強弱を調整する給電の大小の調整に使用され、例えば扇風機の回転速度やエアコンの冷気の強弱、音響の音量、電灯の明るさ、無線電機の信号の強弱等に用いられている。
【０００３】
また、従来のつまみスイッチはほとんどが機械構造から構成されており、スイッチ本体と、スイッチ本体上に枢設され、使用者によって回動される回転軸と、回転軸上部に設置され、使用者が便利に回転させることができるつまみを含み、前記つまみスイッチは主に回路上に電気的に接続され、回転軸を利用してつまみスイッチの抵抗値を制御し、これにより電流量と電圧の高低を調整して、外部電源の回路に対する給電の大小を制御し、電器の動作速度や強弱を制御することができる。
【０００４】
しかしながら、上述の従来の機械式つまみスイッチはアナログ式制御部材に属し、制御の精度がやや低く、かつ機械式つまみスイッチは長期にわたり頻繁に使用すると、その機械構成部材間に緩みや作動不良、破損等の現象が発生しやすく、また外部の埃や汚れが付着または堆積しやすいため、つまみスイッチの電源の調整及び制御の能力に影響が生じ、その使用寿命に影響する。
【０００５】
これに鑑み、本発明は発明者の電子スイッチの生産、製造及び設計に従事した長年の経験に基づき開発されたものであり、上述の問題を改善する。
【発明の概要】
【発明が解決しようとする課題】
【０００６】
本発明の主な目的は、上述の先行技術において、従来の機械式つまみスイッチの制御の精度が低い問題を克服し、かつ機械式つまみスイッチが長期間頻繁に使用されたとき、スイッチ内部の構成部材間に緩みや作動不良、破損等が発生する問題、及び埃や汚れが付着又は堆積しやすく、その正常な動作に影響を与える問題を解決し、耐久性と使用寿命を向上することができる、タッチ方式により旋回ルートに基づいた外部電源のオン・オフまたは給電の大小の段階的な調整が可能なスイッチを提供することにある。
【課題を解決するための手段】
【０００７】
上述の目的を達成するため、本願の第１発明のタッチ式つまみスイッチは、ハウジングと、タッチ制御回路基板と、複数の第１発光素子を含み、
前記ハウジングの内部に収容槽が形成され、かつ上部に人が手でタッチするためのセンサ面が形成され、
前記タッチ制御回路基板が前記収容槽上部に設置され、かつ前記タッチ制御回路基板の上面に前記センサ面に近接したタッチ制御回路層が設けられ、前記タッチ制御回路層の上面が複数の環状に配列されたセンサエリアに区分され、
前記複数の第１発光素子は、前記タッチ制御回路層上面のセンサエリア内に環状に設置され、前記センサ面に沿って間隔をあけて配列され、
使用者が前記センサ面に沿ってタッチすることにより前記センサエリアのタッチ制御回路層を順にトリガーし、トリガーを受けたセンサエリアのタッチ制御回路層が、トリガーを受けたセンサエリアに対応する第１発光素子の発光を制御し、かつトリガーを受けたセンサエリアに基づいて外部電源の給電を制御するためのエンコード信号を出力する。
【０００８】
上述により、使用時はセンサ面に沿ってタッチすると、タッチされたセンサ面のセンサエリア内のタッチ制御回路層がエンコード信号を発生し、これにより前記エンコード信号を外部へと出力し、外部電源の給電の大小を制御することができ、使用者によるセンサ面に沿った円弧状の旋回の動作とタッチ方式の採用により外部電源の給電状態を調整でき、かつタッチされたセンサ面のセンサエリア内の第１発光素子がタッチ動作に伴って発光したり発光を停止したりして使用者に現在のつまみスイッチの使用状態を提示することができる。
【０００９】
これにより、上述のタッチ方式を利用し、旋回ルートに基づいて外部電源のオン・オフまたは給電の大小の段階的な調整を行うという目的を達し、つまみスイッチの耐久性と使用寿命を大幅に高め、かつタッチ方式で外部電源の給電を調整する操作方法は非常に簡易で便利かつ使用上の実用性がある。
【００１０】
本願の第２発明は、前記ハウジングが上蓋と下蓋を含み、前記上蓋の上部にウィンドウが設けられ、かつ前記ウィンドウ内に透光部材が設置され、前記センサ面が前記透光部材の上面であり、前記タッチ制御回路基板が前記透光部材と下蓋の間に設置されることを特徴とする、前記第１発明のタッチ式つまみスイッチを提供する。
【００１１】
本願の第３発明は、前記使用者が前記センサ面に沿って円弧状にタッチしていくと、タッチされた前記センサ面に対応する前記第１発光素子の発光が徐々にオンまたはオフになり、かつ前記タッチ制御回路層に前記エンコード信号を出力させることを特徴とする、前記第１発明のタッチ式つまみスイッチを提供する。
【００１２】
本願の第４発明は、前記使用者が前記センサエリアをタッチした後に前記センサエリアのタッチを停止したとき、タッチされたセンサエリアに対応する第１発光素子が発光を持続し、前記発光を持続している第１発光素子に対応するセンサエリアが再度タッチされると発光が停止することを特徴とする、前記第３発明のタッチ式つまみスイッチを提供する。
【００１３】
本願の第５発明は、前記使用者が前記センサエリアをタッチした後に前記センサエリアのタッチを停止したとき、タッチされたセンサエリアに対応する第１発光素子が発光を停止することを特徴とする、前記第３発明のタッチ式つまみスイッチを提供する。
【００１４】
本願の第６発明は、前記エンコード信号が、前記外部電源の給電をオンにする、及び（または）段階的に大きく調整する、または前記エンコード信号が、前記外部電源の給電を段階的に小さく調整する、及び（または）オフにすることを特徴とする、前記第１発明のタッチ式つまみスイッチを提供する。
【００１５】
本願の第７発明は、前記エンコード信号がパルス幅変調形式であることを特徴とする、前記第１発明のタッチ式つまみスイッチを提供する。
【００１６】
本願の第８発明は、さらに前記センサエリアの間のタッチ制御回路層の中央上面に設置された少なくとも１つの第２発光素子を含み、前記タッチ制御回路層の中央上面に前記センサ面中央に対応する押圧エリアが形成され、使用者が前記センサ面中央にタッチして前記押圧エリアのタッチ制御回路層をトリガーすると、前記押圧エリアのタッチ制御回路層が前記第２発光素子を制御して発光させ、かつ外部電源の給電を制御するための制御信号を出力することを特徴とする、前記第１発明のタッチ式つまみスイッチを提供する。
【００１７】
本願の第９発明は、前記使用者が前記センサ面中央をタッチすると、前記第２発光素子の発光色が変化することを特徴とする、前記第８発明のタッチ式つまみスイッチを提供する。
【００１８】
本願の第１０発明は、前記収容槽の底部に複数の支持部材が設けられ、前記タッチ制御回路基板が前記支持部材の上部に設置され、かつ前記支持部材の間に前記制御信号を受けて駆動する振動モーターが設置されたことを特徴とする、前記第８発明のタッチ式つまみスイッチを提供する。
【発明の効果】
【００１９】
先行技術と比較して、本発明には次のような利点がある。
１．操作時、使用者が慣用する円弧状の旋回の動作でセンサ面をタッチして外部電源の給電の大小を任意に調整かつ制御でき、操作が簡易かつ迅速、便利である。
２．タッチ制御回路基板を採用し、タッチ方式で外部電源の給電を調整することにより、従来の機械式に給電を調整するつまみスイッチを代替し、従来の機械構成部材が磨耗したり、引っかかったりしやすい等の問題を回避してその耐久性と使用寿命を大幅に向上できる。
３．本発明は従来の回動型機械構成部材がないため、防水型態の設計が可能であり、液体がつまみスイッチ内部に入り込むことを効果的に防止し、その耐久性と使用寿命をより一層向上できると共に、水気の多い環境やさらには液体中に設置することも可能なため、用途が大きく広がる。
４．本発明はエンコード信号を出力する方式で外部電源の給電をオン・オフし、かつ外部電源の給電の大小を制御しており、エンコード信号はパルス幅変調形式のデジタル信号であるため、その制御の精度が従来の機械式つまみスイッチよりずっと高い。
５．旋回タッチ方式で本発明のつまみスイッチを操作するとき、前記センサ面の第１発光素子がタッチ動作に伴って発光したり発光を停止したりして使用者に現在のつまみスイッチの使用状態を提示することができる。
６．前記タッチ制御回路基板が前記透光部材と下蓋の間のハウジング内に設置され、外部の水分がタッチ制御回路基板の動作と耐久性及び使用寿命に影響することを防止できる。
７．前記第２発光素子の設計を外部電源の制御実行ボタンとして使用でき、本発明のつまみスイッチの実用性をより一層高めることができる。
８．前記振動モーターの設計によりさらに使用者に現在のつまみスイッチの使用状態を提示することができる。
【図面の簡単な説明】
【００２０】
【図１】本発明の最良の実施例の立体図である。
【図２】図１の立体底面図である。
【図３】図１の立体分解図である。
【図４】図１の前面図である。
【図５】図４の上面図である。
【図６】図５のＡ−Ａ線での断面図である。
【図７】図５の部分拡大上面図である。
【図８】図５の使用状態を示す上面図である。
【図９】図５の別の使用状態を示す上面図である。
【発明を実施するための形態】
【００２１】
図１に本発明の最良の実施例の立体図、図２に図１の立体底面図、図３に図１の立体分解図、図４に図１の前面図、図５に図４の上面図、図６に図５のＡ−Ａ線での断面図、図７に図５の部分拡大上面図、図８に図５の使用状態を表す上面図、図９に図５の別の使用状態を表す上面図をそれぞれ示す。図１から図９に示すように、本発明のタッチ式つまみスイッチは、ハウジング１、タッチ制御回路基板２、複数の第１発光素子３１を含む。
【００２２】
そのうち、前記ハウジング１は内部に収容槽１０が形成され、かつハウジング１の上部に人が手でタッチするためのセンサ面１２１が形成される。
【００２３】
前記タッチ制御回路基板２は収容槽１０上部に設置され、かつタッチ制御回路基板２の上面にハウジング１のセンサ面１２１に近接した抵抗膜式または静電容量式のタッチ制御回路層２１が設置され、前記タッチ制御回路層２１の上面が複数の環状に配列されたセンサエリア２２に区分される。
【００２４】
前記第１発光素子３１は発光ダイオードとしてもよく、前記第１発光素子３１は前記タッチ制御回路層２１上面の各センサエリア２２内に環状に設置され、センサ面１２１に沿って間隔をあけて配列される。
【００２５】
これにより、使用者がセンサ面１２１に沿って円弧状にタッチし、順に前記センサエリア２２内のタッチ制御回路層２１をトリガーすると、トリガーを受けたセンサエリア２２内のタッチ制御回路層２１が、トリガーを受けたセンサエリア２２に対応する第１発光素子３１の発光を制御する。この制御による前記第１発光素子３１の発光形態は、第１発光素子３１を発光させた形態と発光させない形態を含む。同時に、トリガーを受けたセンサエリア２２に基づいて外部電源給電の制御に用いるエンコード信号が出力される。
【００２６】
より具体的な実施において、本発明は次を含む。
実施時、前記ハウジング１が上蓋１１と下蓋１３を含むことができ、前記上蓋１１の上部にウィンドウ１１１が設けられ、かつウィンドウ１１内に透光部材１２が設置され、前記センサ面１２１が透光部材１２の上面であり、前記タッチ制御回路基板２が前記透光部材１２と下蓋１３の間の収容槽１０内部に設置され、外部の水分がタッチ制御回路基板２の動作と耐久性及び使用寿命に影響することを防止する。
【００２７】
実施時、前記上蓋１１の外囲に間隔をあけて複数の歯を備えた弾性のツメ部１１２が設けられ、前記ハウジング１は前記ツメ部１１２を嵌合させることで位置決めされ、かつ外部の水分が上蓋１１の外囲から底部に浸入し、ハウジング１底部の回路に影響を与えることを防止する。
【００２８】
使用時、前記使用者がセンサ面１２１に沿って円弧状にタッチしていくと、タッチされたセンサ面１２１に対応する第１発光素子３１の発光が徐々にオンまたはオフになり、タッチ制御回路層２から前記エンコード信号が出力される。
【００２９】
使用時、前記エンコード信号は前記外部電源の電器に対する給電をオンにするまたは（及び）徐々に大きくすることができ、或いは前記エンコード信号は前記外部電源の電器に対する給電をオフにする、または（及び）徐々に小さくすることができる。
【００３０】
使用時、前記エンコード信号はパルス幅変調（Ｐｕｌｓｅ  Ｗｉｄｔｈ  Ｍｏｄｕｌａｔｉｏｎ、ＰＷＭ）形式とすることができ、これはアナログ信号をパルスに変換する技術であり、一般に変換後のパルスの周期は一定であるが、パルスのマークスペース比がアナログ信号の大きさにより変化する。これにより、本発明はエンコード信号を出力する方式で外部電源の給電をオン・オフし、かつ外部電源の給電の大きさを制御するため、その制御の精度が従来の機械式つまみスイッチより高い。
【００３１】
実施時、さらに前記センサエリア２２の間のタッチ制御回路層２１中央上面に設置された少なくとも１つの第２発光素子３２を含み、タッチ制御回路層２１中央上面の対応するセンサ面１２１中央に押圧エリア２３を形成してもよい。
これにより、使用者がセンサ面１２１中央にタッチして押圧エリア２３のタッチ制御回路層２１をトリガーし、押圧エリア２３のタッチ制御回路層２１により第２発光素子３２の発光を制御させ、かつ外部電源の給電を制御するために用いる制御信号を出力させることができる。
【００３２】
実施時、前記第２発光素子３２は発光ダイオードとし、かつ第２発光素子３２は使用者がセンサ面１２１中央をタッチすると発光色が変化するようにしてもよい。
【００３３】
実施時、前記タッチ制御回路基板２上に前記第１発光素子３１と第２発光素子３２の埋設に用いる複数の収容孔２４が設けられる。
【００３４】
実施時、前記収容槽１０底部の下蓋１３上に複数の支持部材１３１が環状に配置して設置され、前記タッチ制御回路基板２が前記支持部材１３１上部に設置され、タッチ制御回路基板２のタッチ制御回路層２１を上蓋１１底面に接触させる。
【００３５】
前記支持部材１３１の間にタッチ制御回路層２１に電気的に接続された振動モーター４が設置され、前記振動モーター４は前記制御信号を受けて駆動され、振動を発生する。これにより、前記振動モーター４の設計で使用者に本発明のつまみスイッチの現在の使用状態をよりはっきりと提示することができる。
【００３６】
上述の構成部材の構成により、本発明を実施することができ、前記ハウジング１は外部のあらかじめ定めた位置表面の位置決め孔（図示しない）内に挿設でき、前記あらかじめ定めた位置は室内または室外の人が手で触れやすい壁面や、家電または浴室設備の表面などとすることができる。かつ前記タッチ制御回路基板２は位置決め孔から外部電源及び３Ｃ電子製品、通信装置、または家電等の電器に連通される。
【００３７】
一般的な使用状況下において、前記センサ面１２１に前記センサエリア２２がタッチを受ける開始点の表示を設け、使用時は前記開始点の表示からセンサ面１２１のタッチを開始することができる。
【００３８】
使用者が手の指で円弧形のルートに沿ってセンサ面１２１をタッチすると、タッチされたセンサ面１２１のセンサエリア２２内のタッチ制御回路層２１がエンコード信号を発生し、かつ前記使用者が１つ目のセンサエリア２２にタッチした後、続いて２つ目のセンサエリア２２ａにタッチして前記１つ目のセンサエリア２２のタッチが停止すると、タッチされた１つ目のセンサエリア２２に対応する第１発光素子３１の発光が継続し、かつ前記発光が継続している第１発光素子３１は対応する１つ目のセンサエリア２２が再度タッチされると発光が停止する。
【００３９】
使用者が円弧形のルートに沿ってセンサ面１２１をタッチした後、タッチされたセンサ面１２１のセンサエリア２２、２２ａ内の第１発光素子３１が発光を継続し、タッチされていないセンサ面１２１のセンサエリア２２ｂ内の第１発光素子３１は発光せず、前記第１発光素子３１がセンサ面１２１上で円弧形の光線を発することができる。
【００４０】
同時に、前記タッチ制御回路層２１はタッチされたセンサ面１２１のセンサエリア２２、２２ａに基づいてエンコード信号を出力するため、前記センサ面１２１のセンサエリア２２、２２ａがタッチされた数に基づいて本発明のつまみスイッチの作動レベルを決定することができる。つまり、前記円弧状の型態の光線が長いほど作動レベルが大きく、前記外部電源の給電が大きくなり、前記円弧状の型態の光線が短いほど作動レベルが小さくなり、前記外部電源の給電が小さくなる。
【００４１】
使用者が本発明のつまみスイッチをオフにしたいときは、任意のセンサエリア２２、２２ａ、２２ｂからタッチを開始するのではなく、前回最後にタッチされたセンサエリア２２、２２ａ、２２ｂから順に逆方向にタッチする必要があり、発光を継続している第１発光素子３１に対応するセンサエリア２２が再度タッチされると発光が停止し、同時にタッチ制御回路層２１がタッチを受けて第１発光素子３１のセンサエリア２２、２２ａ、２２ｂが出力している対応するエンコード信号をオフにする。
【００４２】
上述により、円弧状のタッチ方式で本発明のつまみスイッチを操作するとき、前記センサ面１２１の第１発光素子３１がタッチ動作に伴い発光したり、発光を停止したりして、使用者につまみスイッチの現在の使用状態を提示し、かつ前記エンコード信号を外部に出力して、外部電源の電器に対する給電を制御し、外部電源の給電の大小を制御して、前記電器の動作状態をオン・オフ及び制御することができる。
【００４３】
本発明は操作時、使用者が慣用する円弧状の旋回の動作でセンサ面１２１をタッチして外部電源の電器に対する給電の大小を任意に調整かつ制御でき、操作が簡易かつ迅速、便利である。
【００４４】
本発明はタッチ制御回路基板２を採用し、タッチ方式で外部電源の給電を調整することにより、従来の機械式に給電を調整するつまみスイッチを代替し、従来の機械構成部材が磨耗したり、引っかかったりしやすい等の問題を回避してその耐久性と使用寿命を大幅に向上できる。
【００４５】
本発明は従来の回動型機械構成部材がないため、ハウジング１の防水型態の設計が可能であり、液体がつまみスイッチ内部に入り込むことを効果的に防止し、その耐久性と使用寿命をより一層向上できると共に、水気の多い環境やさらには液体中に設置することも可能なため、用途が大きく広がる。
【００４６】
また使用者はセンサ面１２１中央を押す方式でタッチし、押圧エリア２３のタッチ制御回路層２１をトリガーして押圧エリア２３のタッチ制御回路層２１により第２発光素子３２の発光を制御でき、同時に制御信号を出力させ、外部電源の電器に対する給電を制御することができる。このように、前記第２発光素子３２の設計を外部電源の制御実行ボタンとして使用でき、本発明のつまみスイッチの実用性をより一層高めることができる。
【００４７】
これにより、本発明はセンサ面１２１に沿った円弧状の旋回動作でのタッチ方式により外部電源の電器に対する給電状態を調整し、上述のようにタッチ方式により旋回ルートに基づいて外部電源のオン・オフ又は給電の大小の段階的な調整を可能にするという目的を達し、つまみスイッチの耐久性と使用寿命を大幅に向上すると共に、上述のタッチ方式で外部電源の給電を調整する操作方法は非常に簡易かつ便利であり、使用上実用性が高い。
【００４８】
このほか、前記使用者が１つ目のセンサエリア２２をタッチした後、続いて２つ目のセンサエリア２２ａをタッチし、前記１つ目のセンサエリア２２のタッチを停止すると、タッチされたセンサエリア２２に対応する第１発光素子３１は発光を停止してもよい。
つまり、１つ目のセンサエリア２２がタッチされたとき、前記１つ目のセンサエリア２２に対応する第１発光素子３１は発光を保ち、２つ目のセンサエリア２２ａがタッチされると、前記１つ目のセンサエリア２２に対応する第１発光素子３１が消灯して、前記２つ目のセンサエリア２２ａに対応する第１発光素子３１が代わりに発光し、即ち、同一時間に１つのセンサエリア２２の第１発光素子３１のみが発光するようにしてもよい。
使用時は、前記開始表示以外の任意のセンサエリア２２からセンサ面１２１のタッチを開始してもよく、その他の構成部材の構成と実施方式は上述の実施例と同じである。
【符号の説明】
【００４９】
１      ハウジング
１０    収容槽
１１    上蓋
１１１  ウィンドウ
１１２  ツメ部
１２    透光部材
１２１  センサ面
１３    下蓋
１３１  支持部材
２      タッチ制御回路基板
２１    タッチ制御回路層
２２    センサエリア
２２ａ  センサエリア
２２ｂ  センサエリア
２３    押圧エリア
２４    収容孔
３１    第１発光素子
３２    第２発光素子
４      振動モーター
【図１】
2014053092.tif 000003
【図２】
2014053092.tif 000004
【図３】
2014053092.tif 000005
【図４】
2014053092.tif 000006
【図５】
2014053092.tif 000007
【図６】
2014053092.tif 000008
【図７】
2014053092.tif 000009
【図８】
2014053092.tif 000010
【図９】
2014053092.tif 000011
【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
タッチ式つまみスイッチであって、ハウジングと、タッチ制御回路基板と、複数の第１発光素子を含み、
前記ハウジングの内部に収容槽が形成され、かつ上部に人が手でタッチするためのセンサ面が形成され、
前記タッチ制御回路基板が前記収容槽内の上部に設置され、かつ該タッチ制御回路基板の上面に前記センサ面に近接したタッチ制御回路層が設けられ、前記タッチ制御回路層の上面が複数の環状に配列されたセンサエリアに区分され、
前記複数の第１発光素子が、前記タッチ制御回路層上面のセンサエリア内に環状に設置され、前記センサ面に沿って間隔をあけて配列され、
使用者が前記センサ面に沿ってタッチすることにより前記センサエリアのタッチ制御回路層を順にトリガーし、トリガーを受けたセンサエリアのタッチ制御回路層が、トリガーを受けたセンサエリアに対応する第１発光素子の発光を制御し、かつトリガーを受けたセンサエリアに基づいて外部電源の給電を制御するためのエンコード信号を出力し、
さらに前記センサエリアの間のタッチ制御回路層の中央上面に設置された少なくとも１つの第２発光素子を含み、前記タッチ制御回路層の中央上面に前記センサ面中央に対応する押圧エリアが形成され、使用者が前記センサ面中央にタッチして前記押圧エリアのタッチ制御回路層をトリガーすると、前記押圧エリアのタッチ制御回路層が前記第２発光素子を制御して発光させ、かつ外部電源の給電を制御するための制御信号を出力し、
前記収容槽の底部に複数の支持部材が設けられ、前記タッチ制御回路基板が前記支持部材の上部に設置され、かつ前記支持部材の間に前記制御信号を受けて駆動する振動モーターが設置されたことを特徴とする、
タッチ式つまみスイッチ。
【請求項２】
前記ハウジングが上蓋と下蓋を含み、前記上蓋の上部にウィンドウが設けられ、かつ前記ウィンドウ内に透光部材が設置され、前記センサ面が前記透光部材の上面であり、前記タッチ制御回路基板が前記透光部材と下蓋の間に設置されることを特徴とする、請求項１に記載のタッチ式つまみスイッチ。
【請求項３】
前記使用者が前記センサ面に沿って円弧状にタッチしていくと、タッチされた前記センサ面に対応する前記第１発光素子の発光が徐々にオンまたはオフになり、かつ前記タッチ制御回路層に前記エンコード信号を出力させることを特徴とする、請求項１に記載のタッチ式つまみスイッチ。
【請求項４】
前記使用者が前記センサエリアをタッチした後に前記センサエリアのタッチを停止したとき、タッチされたセンサエリアに対応する第１発光素子が発光を持続し、前記発光を持続している第１発光素子に対応するセンサエリアが再度タッチされると発光が停止することを特徴とする、請求項３に記載のタッチ式つまみスイッチ。
【請求項５】
前記使用者が前記センサエリアをタッチした後に前記センサエリアのタッチを停止したとき、タッチされたセンサエリアに対応する第１発光素子が発光を停止することを特徴とする、請求項３に記載のタッチ式つまみスイッチ。
【請求項６】
前記エンコード信号が、前記外部電源の給電をオンにする、及び（または）段階的に大きく調整する、または前記エンコード信号が、前記外部電源の給電を段階的に小さく調整する、及び（または）オフにすることを特徴とする、請求項１に記載のタッチ式つまみスイッチ。
【請求項７】
前記エンコード信号がパルス幅変調形式であることを特徴とする、請求項１に記載のタッチ式つまみスイッチ。
【請求項８】
前記使用者が前記センサ面中央をタッチすると、前記第２発光素子の発光色が変化することを特徴とする、請求項１に記載のタッチ式つまみスイッチ。